(57)【要約】      （修正有）【課題】樹木の移植作業に要する労力や時間を低減すること。【解決手段】樹木３２を根部から掘り取って別の場所に移植する樹木移植作業において樹木の根部周辺に掘取溝３３を形成するための掘取溝形成機であって、重機のアーム３の先端に一対の鋏状の剪断装置４をアームと直交する方向に開閉自在に設ける。特に、前記剪断装置の開閉中心を前記アームの先端からアームと直交する方向に偏らせる。また、前記剪断装置を前記アームの先端に水平回動機構を介して接続する。【選択図】図８
2006314254.tif 000002
【特許請求の範囲】
【請求項１】
樹木を根部から掘り取って別の場所に移植する樹木移植作業において樹木の根部周辺に掘取溝を形成するための掘取溝形成機であって、
重機のアームの先端に一対の鋏状の剪断刃をアームと直交する方向に開閉自在に設けたことを特徴とする掘取溝形成機。
【請求項２】
前記剪断刃の開閉中心を前記アームの先端からアームと直交する方向に偏らせたことを特徴とする請求項１に記載の掘取溝形成機。
【請求項３】
前記剪断刃を前記アームの先端に水平回動機構を介して接続したことを特徴とする請求項１又は請求項２に記載の掘取溝形成機。
【発明の詳細な説明】
【技術分野】
【０００１】
本発明は、樹木を根部から掘り取って別の場所に移植する樹木移植作業において樹木の根部周辺に掘取溝を形成するために使用する掘取溝形成機に関するものである。
【背景技術】
【０００２】
従来より、山中の樹木を市街地の公園に移植する場合のように樹木を根部から掘り取って別の場所に移植する樹木移植作業が行われている。
【０００３】
この樹木移植作業は、次のようにして行われていた（たとえば、特許文献１参照。）。
【０００４】
まず、重機のアームの先端に前方及び上方を開放させた略箱型のバケットを取付けた樹木移植機を用いて、移植する樹木の前側の土石を掘り取る。
【０００５】
次に、重機のアームの先端に先鋭棒状体を取付けた掘取溝形成機を用いて、移植する樹木の左右側方及び後方の土石に掘取溝を形成する。
【０００６】
次に、樹木移植機のバケットを用いて、移植する樹木を根部に付着した土砂ごと地中から掘り取る。
【０００７】
そして、掘り取った樹木をバケットから搬送トラックの荷台に載せ換え、搬送トラックで別の場所まで搬送し、その後、再度搬送トラックの荷台から樹木移植機のバケットに載せ換え、移植場所に樹木移植機のバケットで樹木を根部の土砂ごと載置して、樹木を移植する。
【０００８】
この樹木移植作業において、移植する樹木の周囲に掘取溝を形成する際には、重機のアームを操作して先鋭棒状体の先端部を移動させることによって樹木の根部周辺に平面視で略コ字状の掘取溝を形成していた。
【特許文献１】特開２００４−２６７０４０号公報
【発明の開示】
【発明が解決しようとする課題】
【０００９】
ところが、上記従来の樹木移植作業においては、重機のアームを操作して先鋭棒状体の先端部を移動させることによって樹木の根部周辺に掘取溝を形成していたために、地中に樹木の根や石などが存在していると円滑に掘取溝を形成することが困難であった。
【００１０】
そのため、従来の樹木移植作業では、作業者に熟練を要するとともに、作業に多大な時間と労力を要していた。
【課題を解決するための手段】
【００１１】
そこで、請求項１に係る本発明では、樹木を根部から掘り取って別の場所に移植する樹木移植作業において樹木の根部周辺に掘取溝を形成するための掘取溝形成機であって、重機のアームの先端に一対の鋏状の剪断刃をアームと直交する方向に開閉自在に設けることにした。
【００１２】
また、請求項２に係る本発明では、前記請求項１に係る本発明において、前記剪断刃の開閉中心を前記アームの先端からアームと直交する方向に偏らせることにした。
【００１３】
また、請求項３に係る本発明では、前記請求項１又は請求項２に係る本発明において、前記剪断刃を前記アームの先端に水平回動機構を介して接続することにした。
【発明の効果】
【００１４】
そして、本発明では、以下に記載する効果を奏する。
【００１５】
すなわち、請求項１に係る本発明では、樹木を根部から掘り取って別の場所に移植する樹木移植作業において樹木の根部周辺に掘取溝を形成するための掘取溝形成機であって、重機のアームの先端に一対の鋏状の剪断刃をアームと直交する方向に開閉自在に設けることにしているために、移植する樹木の周囲に根や石などがあっても剪断刃で破断することができ、樹木移植作業における掘取溝を容易に形成することができる。
【００１６】
また、請求項２に係る本発明では、剪断刃の開閉中心をアームの先端からアームと直交する方向に偏らせることにしているために、移植する樹木の側方で重機のアームを昇降させることによって樹木の直後方に掘取溝を形成することができるので、掘取溝形成時にアームが樹木に衝突して樹木が破損してしまうのを未然に防止することができる。
【００１７】
また、請求項３に係る本発明では、剪断刃をアームの先端に水平回動機構を介して接続することにしているために、掘取溝形成時に重機自体を移動させることなく水平回動機構によって剪断刃を回転させるだけで移植する樹木の周囲に掘取溝を形成することができ、掘取溝形成作業を容易なものとすることができる。
【発明を実施するための最良の形態】
【００１８】
本発明に係る掘取溝形成機は、樹木を根部の土砂ごと地面から掘り出し、その後、掘り出した樹木を根部の土砂ごと別の場所に植え付けるといった樹木移植作業に用いられるものであり、樹木を根部の土砂ごと地面から掘り取るときに樹木の根部周辺に掘取溝を形成するために使用されるものである。
【００１９】
以下に、本発明に係る掘取溝形成機の具体的な構造について図面を参照しながら説明する。
【００２０】
掘取溝形成機１は、図１に示すように、重機２のアーム３の先端部に剪断装置４をアタッチメント５を介して連結している。
【００２１】
この剪断装置４とアタッチメント５の具体的な構造について説明すると、剪断装置４は、図２〜図５に示すように横長矩形板状のベース体６の下部に前後一対の略三角板状の支持体7,8の基端部を前後に間隔をあけて取付けている。
【００２２】
この支持体7,8は、図２に示すように、正面視で頂点を中央部よりも左下部にずらして位置させた略三角形の板で形成している。
【００２３】
そして、剪断装置４は、正面視でベース体６の左側にずれた位置にある頂部に前後一対の略三角板状の剪断刃9,10の基端部を前後に面接触させた状態で回動軸11を介して回動自在に取付けている。
【００２４】
この剪断刃9,10は、内側の一辺に先鋭状の刃部12を形成しており、回動軸11を中心にして左右に開閉するようにしている。
【００２５】
そして、剪断装置４は、この剪断刃9,10の左右頂部に油圧シリンダー13,14のシリンダーロッド15,16の先端部を回動自在に取付ける一方、支持体7,8の基端部に油圧シリンダー13,14の基端部を回動自在に取付け、この油圧シリンダー13,14の伸縮によって剪断刃9,10を開閉するようにしている。図中、17〜20は連結ピンである。
【００２６】
次に、アタッチメント５の構造について説明すると、アタッチメント５は、図２〜図５に示すように剪断装置４のベース体６の上部に中央部よりも右側にずらして取付けられている。
【００２７】
このアタッチメント５は、ベース体６の上部に左右遥動機構34を取付け、この左右遥動機構34の上部に水平回動機構21を取付け、この水平回動機構21に連結ジョイント22を取付けている。
【００２８】
左右遥動機構34は、ベース体６の上側前後部に前後一対の略三角板状の遥動板35,36を取付け、この遥動板35,36の先端部に前後一対の略五角形状の支持板37,38の先端部を連結ピン39で左右方向に向けて回動自在に連結し、この前後側の支持板37,38の基端部間に円形板状の連結板40を取付けている。
【００２９】
また、左右遥動機構34は、前後側の支持板37,38に油圧シリンダー41の基端部を左右回動自在に取付け、この油圧シリンダー41のシリンダーロッド42の先端部に遥動板35,36を左右回動自在に取付けている。
【００３０】
そして、左右遥動機構34は、図６に示すように、油圧シリンダー41のシリンダーロッド42を上下に伸縮させることによって、剪断装置４を左右に遥動させるようにしている。
【００３１】
また、水平回動機構21は、ベース体６の右側上部に円筒状の支持体23を取付け、この支持体23に円筒状の可動体24を水平方向に回動自在に取付け、この可動体24の上部に連結ジョイント22のベース体25を取付けている。なお、この水平回動機構21は、公知の機構を利用しており、支持体23の内部に収容した油圧モータで可動体24を水平回動させるように構成している。
【００３２】
そして、水平回動機構21は、図７に示すように、油圧モータを駆動することによって、剪断装置４を水平方向に向けて回動させるようにしている。
【００３３】
また、連結ジョイント22は、図２〜図５に示すように、水平回動機構21を取付けたベース体25の上側左右側部に左右一対の横長矩形板状のブラケット26,27を取付け、このブラケット26,27の間に左右に伸延させた前後一対の円柱状の連結ピン28,29を前後に間隔をあけて取付けている。
【００３４】
この連結ジョイント22には、図１に示すように、重機２のアーム３の先端に取付けられた連結機構30が着脱自在に連結される。
【００３５】
このようにして、上記掘取溝形成機１は、重機２のアーム３の先端に鋏状の剪断装置４を水平回動機構21を有するアタッチメント５を介して取付け、この剪断装置４に設けた一対の鋏状の剪断刃9,10をアーム３と直交する方向に開閉自在とし、しかも、ベース体６の左側に剪断刃9,10の回動軸11を取付ける一方、ベース体６の右側にアタッチメント５を取付けることによって、剪断刃9,10の開閉中心をアーム３の先端からアーム３と直交する方向に偏らせている。
【００３６】
そして、掘取溝形成機１は、図８に示すように、重機２のアーム３を操作することによって剪断装置４を所定位置に移動させ（図８(a)参照。）、剪断装置４の剪断刃9,10を開いた状態にして地面31に垂直に押付け（図８(b)参照。）、その後、剪断装置４の剪断刃9,10を地面31に押付けながら閉じた状態にし（図８(c)参照。）、これにより、樹木32の周辺に掘取溝33を形成する。
【００３７】
このように、上記掘取溝形成機１では、重機２のアーム３の先端に一対の鋏状の剪断刃9,10をアーム３と直交する方向に開閉自在に設けているために、移植する樹木32の周囲の地面31に根や石などがあっても剪断刃9,10で破断することができ、樹木移植作業における掘取溝33を容易に形成することができる。
【００３８】
また、上記掘取溝形成機１では、剪断刃9,10の開閉中心をアーム３の先端からアーム３と直交する方向に偏らせているために、図８に示すように、移植する樹木32の側方で重機２のアーム３を昇降させることによって樹木32の直後方に掘取溝33を形成することができるので、掘取溝33の形成時にアーム３が樹木32に衝突して樹木32が破損してしまうのを未然に防止することができる。
【００３９】
また、上記掘取溝形成機１では、剪断刃9,10をアーム３の先端に水平回動機構21を介して接続しているために、掘取溝33の形成時に重機２を移動させることなく水平回動機構21によって剪断刃9,10を回転させるだけで移植する樹木32の周囲に掘取溝33を形成することができ、掘取溝33の形成作業を容易なものとすることができる。
【図面の簡単な説明】
【００４０】
【図１】本発明に係る掘取溝形成機を示す側面図。
【図２】剪断装置を示す正面図。
【図３】同側面図。
【図４】同底面図。
【図５】同平面図。
【図６】左右遥動機構の動作を示す説明図。
【図７】水平回動機構の動作を示す説明図。
【図８】掘取溝の形成作業を示す説明図。
【符号の説明】
【００４１】
１  掘取溝形成機                            ２  重機
３  アーム                                  ４  剪断装置
５  アタッチメント                          ６  ベース体
7,8  支持体                                 9,10  剪断刃
11  回動軸                                  12  刃部
13,14  油圧シリンダー                       15,16  シリンダーロッド
17〜20  連結ピン                            21  水平回動機構
22  連結ジョイント                          23  支持体
24  可動体                                  25  ベース体
26,27  ブラケット                           28,29  連結ピン
30  連結機構                                31  地面
32  樹木                                    33  掘取溝
34  左右遥動機構                            35,36  遥動板
37,38  支持板                               39  連結ピン
40  連結板                                  41  油圧シリンダー
42  シリンダーロッド
【図１】
2006314254.tif 000003
【図２】
2006314254.tif 000004
【図３】
2006314254.tif 000005
【図４】
2006314254.tif 000006
【図５】
2006314254.tif 000007
【図６】
2006314254.tif 000008
【図７】
2006314254.tif 000009
【図８】
2006314254.tif 000010